(57)【特許請求の範囲】
【請求項１】
流入口と流出口の間に設けた複数の流路と、
前記複数の流路を個々に開閉する複数の開閉手段と、
前記複数の流路の流量を個々に計測する計測手段と、
前記開閉手段と前記計測手段とを制御する制御手段と、を有し、
前記計測手段は、流路に設けられた超音波信号を送受信する第１振動子と第２振動子と、前記振動子へ周期的駆動振動を送出する送信回路と、前記振動子間の超音波の伝搬時間に基づいて流量を算出する流量演算手段と、を備え、
前記制御手段は、前記開閉手段が閉止している流路にある前記計測手段のゼロ値を検出しゼロ値補正を行うゼロ点検定手段と、開成している流路の流量演算手段の信号があらかじめ定めた流量より少ない場合に閉止している流路のゼロ点検定手段にゼロ値補正を開始する信号を送出する流量判定手段と、を備えた流量計測装置。
【請求項２】
流入口と流出口の間に設けた複数の流路と、
前記複数の流路を個々に開閉する複数の開閉手段と、
前記複数の流路の流量を個々に計測する計測手段と、
前記開閉手段と前記計測手段とを制御する制御手段と、を有し、
前記計測手段は、流路に設けられた超音波信号を送受信する第１振動子と第２振動子と、前記振動子へ周期的駆動振動を送出する送信回路と、前記振動子間の超音波の伝搬時間に基づいて流量を算出する流量演算手段と、を備え、
前記制御手段は、前記開閉手段が閉止している流路にある前記計測手段のゼロ値を検出しゼロ値補正を行うゼロ点検定手段と、ゼロ点検出中に開成している流路の流量演算手段の信号があらかじめ定めた流量より多くなると閉止している流路のゼロ点検定手段にゼロ値補正を止める信号を送出する流量判定手段と、を備えた流量計測装置。
【発明の詳細な説明】
【０００１】
【発明の属する技術分野】
本発明は、ガスなどの流体の流量を測定する流量計測装置に関するものである。
【０００２】
【従来の技術】
気体や液体などの流体の流量や流速を測定する装置には多くの方式が知られているが、特にエレクトロニクス技術の進歩により信頼性の高い超音波を利用する流速・流量測定装置の開発が目覚しい。そして超音波を利用した流速・流量測定装置は燃料ガスのメータ、工業用計測器、医療用の血流計、海洋や大気中の流速の測定など多方面にわたる活用分野がある。この超音波を利用する流速・流量測定装置には直接超音波を利用する場合のみならず、多の測定原理に基づく測定装置の検出部として間接的に利用する場合がある。
【０００３】
また、超音波利用流速・流量測定装置に限らず流速・流量測定装置には流量センサ、抵抗値センサ、温度センサ、電圧センサなど多くのセンサが利用されている。そしてこれらの電気信号を発信するセンサは、外部の条件に影響されて感度が変化したりすることがある。そのため燃料ガスのメータ等に使用される流量測定装置は僅かな流量変化、例えば３リットル／時のような微小変化でもこれを測定することが要求されていて、この様な微小変化を正確に把握することができる為には測定のゼロ点補正を行うことができる測定装置としなければならない。
【０００４】
以上の観点から特開平８−２７１３０７号公報に開示された技術は、ゼロ点補正を行うのが適切か否かを所定時間間隔をおいて判断し、その判断に基づいてゼロ点補正を実行する手段を備えたガス流量計であり、有用な技術としてガス器具業界では高く評価されている。
【０００５】
【発明が解決しようとする課題】
しかしながら、上記したガス流量計は、所定時間の間隔をおいてゼロ点補正を実施する必要があるかどうかを判定し、その上で必要な時にゼロ点補正を実施するものであり、常に流体の流れが跡切れることのない機器においては流路を閉止することがいつまでもできないため、ゼロ点補正を行えないことにもなる。
【０００６】
そこで、本発明は前記従来例の問題点に鑑み、複数の流路を有する構成で、流体流量の計測を行っていない流路のゼロ点を補正しておくことで、流体計測のため流路を開成する時はゼロ点補正を行った流路を用いるようにすることを課題とするものである。
【０００７】
【課題を解決するための手段】
本発明は上記課題を解決するために、流入口と流出口の間に設けた複数の流路と、前記複数の流路を個々開閉する複数の開閉手段と、少なくとも１つの流路の流量を計測する計測手段と、前記開閉手段と前記計測手段とを制御する制御手段を有し、前記制御手段は前記開閉手段が閉止している流路にある前記計測手段のゼロ値を検出しゼロ値補正を行うゼロ点検定手段を備えた流量計測装置としたものである。
【０００８】
本発明によれば、複数の流路を有する構成で、流体流量の計測範囲を大きくすると共に、流量が跡切れないような機器においても、流体流量の計測を行っていない流路のゼロ点を補正しておき、開閉手段を切り替えることで、ゼロ点補正の終了している流路で流体計測を行うことが可能になる。
【０００９】
【発明の実施の形態】
本発明は、例えば都市ガス、プロパンガス等の燃料ガスのメータに実施して極めて有用である。それは燃料ガスにおけるメータは１時間あたり３リットルを越える流量変化を的確に把握することが、わが国においては必要とされているからである。そこで本発明は、流量の変化が極めて少ない場合から１時間あたり何万リットルという様な広範囲にわたって、ゼロ点補正により正確に流量を計測できる便利なものとしたものである。以上の趣旨に沿う正確な流量を計測する必要のある各分野において本発明は実施して有用なものである。
【００１０】
そして、当業者が本発明を実施するには各請求項に記載した構成とすることにより実現できるものであるが、本発明の内容の理解を助けて容易に実施形態を把握することができるように各請求項の作用効果を手段、構成に加えて以下に説明する。
【００２１】
【実施例】
以下、本発明の実施例について図面を用いて説明する。
【００２２】
（実施例１）
図１（ａ）は請求項１および請求項２に係る実施例１に関する流量計測装置の構成ブロック図、図１（ｂ）は流量検出手段の模式図、図２は計測手段のブロック図である。
【００２３】
図において、１は流入路、２は流出路、３は流路、４は流路を開閉する開閉手段、５は流路の流量を計測する計測手段、７は前記開閉手段４および計測手段５を制御する制御手段である。制御手段の内部にはゼロ点検定手段６を有している。
【００２４】
次に動作、作用について説明する。図１において、流路３は３本からなる構成とし、各流路にそれぞれ開閉手段４と計測手段５が取り付けられている。流入路１から入ってくる流体は開成している開閉手段４を通過し計測手段５によりその流量を測定する。開閉手段４、計測手段５は制御手段７により制御されている。そして個々の流路に対し開閉手段４は開成、閉止を行うことができる。そして開成した開閉手段４の存在する流路の計測手段５が流量を測定する。流入路１から流出路２までの総流量は個々の計測手段５の流量を制御手段７で合算して求める。
【００２５】
複数の流路は全部を開成すると大流量を流すことが可能となり、かつそれを計測することが可能である。１つの流路のみ開成すれば小流量の場合に対応できる。このように開閉手段４を用いることにより流量等に応じた流路選択を容易にし流量域の広い範囲で計測を可能にできる。
【００２６】
なお、流路３は均等な断面積の流路を複数本組み合わせることで汎用性を高めメンテナンスを容易にしてもよいし、また断面積を異なるようにし流量等によってその流路の最適な選択を行う構成としてもよい。本発明では流路を３本としているが別に取りたてて数字に意味があるわけでもない。２本以上であれば何本でも良い。
【００２７】
一方複数の流路からなる流量演算手段２０の動作としては、上記の各流路で行う計測手段５の動作で全体を流れている流体流路３の流量を合計する演算も行っている。ここで求めた総合流量をＱとして、前記開閉手段４が開成している流路３ａ，３ｂ，３ｃに設置した流量検出手段５ａ，５ｂ、５ｃで求めて演算した流量をそれぞれｑａ，ｑｂ，ｑｃとするとＱはｑａ＋ｑｂ＋ｑｃ＝Σｑである。
【００２８】
この流量演算を行いながら、開閉手段４ａが閉止しているとすると流路３ａは流体が流れていない。このため計測手段５ａで流体流量を計測すると開閉手段４ａが閉止しているため流量は０のはずである。しかし、温度などの外部からの影響や経年変化等で計測手段５ａのゼロ点がずれていることもあり、ここで測定した値を流量演算手段２０の値を元にゼロ点検定手段６で補正する。補正としては計測手段５ａで計測した値を基本値としておき、次に開閉手段４ａが開成した時に計測手段５ａで計測した値に対して増減することで成立する。このゼロ点検定は閉止している開閉手段４を有する流路３に設置している計測手段５で各々行うことができる。
【００２９】
この際、ゼロ点が大きくずれてしまっている場合等は報知手段等を用いて使用者にその異常を知らせることも有効である。さらに通信手段等を利用して外部の管理者に報知するとさらに異常状態の復旧を早く行うことが可能になり有用である。
【００３０】
なお、流路３は均等な断面積の流路を複数本組み合わせることで汎用性を高めメンテナンスを容易にしてもよいし、また断面積を異なるようにし流量等によってその流路の最適な選択を行う構成としてもよい。本発明では流路を３本としているが別に取りたてて数字に意味があるわけでもない。２本以上であれば何本でも良い。
【００３１】
また、図１において白抜矢印で示す流路Ａにおける流量検出手段１は同図（ｂ）に示すように流体流路３の一部に第１超音波振動子１０と第２超音波振動子１１とを流体の流れの方向に相対して設けて構成されている。そして図２に示すように、１２は第１振動子１０への送信回路、１３は第２振動子１１で受信した信号の増幅回路で、この増幅された信号は基準信号と比較回路で比較され、基準信号以上の信号が検出されたとき設定された回数だけ繰り返し手段で遅延手段によって信号を遅延させた後超音波信号を繰り返し送信する。超音波の送信が設定された回数が繰り返されて終了したときの時間をタイマカウンタのような計時手段１８で求める。
【００３２】
次に切り替え手段１９で第１振動子１０と第２振動子１１の発信受信を切り換えて、第２振動子１１から第１振動子１０すなわち下流から上流に向かって超音波を送信し、この送信を前述のように繰り返しをの時間を計時する。そしてその時間差から流体の速度を演算し、流体流路３の断面積と前記流体の速度より制御手段７内部の流量演算手段２０によって流量を演算する。
【００３３】
このように計測手段に超音波を用いることにより流体の流れを乱すことなく流量を測定するとともに、複数の流路を組み合わせることで広い範囲で瞬時に流量を精度良く測定することができる。
【００３４】
（実施例２）
以下、請求項３に係る実施例２に関する本発明の流量計測装置について図面を参照しながら説明する。
【００３５】
本実施例の構成を示すブロック図は実施例１と同じ図１を用いる。なお、実施例１と同じ構成要素には同一番号を付与して詳細な説明を省略する。図３に制御手段のブロック図、図４に動作のタイミングチャートを示す。
【００３６】
そして実施例２は開閉手段を一定時間間隔で切り替えるために時間管理をする第１のタイマ手段２１を備えている点が実施例１とは異なる。
【００３７】
動作を説明する。図４（ａ）のように制御手段７は開閉手段４ａを開成して流路３ａに流体を流している。この開閉手段４ａを開成する時、図４（ｄ）のように第１のタイマ手段２０は動作を開始し、一定時間（ここではＴ１）経過ごとに信号を制御手段７に送出する。制御手段７は第１のタイマ手段２１からの信号により、図４（ｂ）のように開閉手段４ｂを開成し、その後開閉手段４ａを閉止する。この時開閉手段４ｂを開成する前に計測手段５ｂはゼロ点の補正を済ませているものとする。さらにＴ１経過すると同様に次は図４（ｃ）のように開閉手段４ｃを開成し、その後開閉手段４ｂを閉止する。このように一定時間経過するたびに流体を計測する流路を入れ替えていく。
【００３８】
これにより、流体の流れがあり流量を計測している場合でも、開閉手段４が閉止している流路３の計測手段５はゼロ点補正を行うことによりゼロ点の補正を済ませておき、計測中の流路が経時変化によるゼロ点の変化が生じていても開閉手段４を介して流路３を切り替えることで一定時間間隔以内に安定度が良く、ゼロ点のずれの無い計測を可能にし、精度が不安定になることを防止することができる。
【００３９】
（実施例３）
以下、請求項４および請求項５に係る実施例３に関する本発明の流量計測装置について図面を参照しながら説明する。
【００４０】
本実施例の構成を示すブロック図は実施例１と同じ図１を用いる。なお、実施例１と同じ構成要素には同一番号を付与して詳細な説明を省略する。図５に制御手段のブロック図、図６に動作のタイミングチャートを示す。
【００４１】
そして実施例３は計測した流体流量があらかじめ定めた流量より少ない場合にゼロ点検定手段６に検定を開始し、反対にあらかじめ定めた流量より多い場合にはゼロ点検定手段６に検定を止めるよう信号を送出する流量判定手段２２を備えている点が実施例１および実施例２とは異なる。
【００４２】
動作を説明する。制御手段７は図６時刻ｔ１で開閉手段４ａを開成して流路３ａに流体を流している。そして流量演算手段２０で流れている流体の流量を求めている。ここで流量判定手段２２は流量演算手段で求めた流量があらかじめ定めた値（図６Ｑ１）より少なくなると（時刻ｔ２）制御手段７に信号を送出して閉止している開閉手段４ｂ、４ｃ等の有する流路の計測手段５ｂ、５ｃのゼロ点を補正する。これは、流量が少なくなってきたことで、開閉手段４を開成して他の流路３ｂに流体を流し複数の流路を用いて流量計測をするという可能性が少なくなるためである。
【００４３】
さらに流量が少ないため開閉手段４を閉止している流路３においても流体の流れが少なく下流から外乱で誤差を含むことのない場合にゼロ点の検定を行うことができるからである。本実施例では流量がＱ１より少なくなるとすぐにゼロ点の検定を行うようにしているが流量信号にも雑音が重畳したり、流量自体も変動するため流量がＱ１以下になってから一定時間経過後からゼロ点の検定を行うようにするとさらに安定して補正ができるようになる。
【００４４】
また、流量判定手段２２は流量演算手段２０で求めた流量があらかじめ定めた値（図６Ｑ２）より多くなる（図６時刻ｔ３）と制御手段７に信号を送出して閉止している開閉手段４ｂ、４ｃ等の有する流路の計測手段５ｂ、５ｃのゼロ点を補正する動作を止めるようにする。これは流量が多くなったため開閉手段４を閉止している流路３の下流から大流量による外乱が入り、せっかく行っている計測手段５のゼロ点補正に影響が生じたり、また大流量を計測するために開閉手段を開成して流路に流体を流す必要がある可能性が高いためゼロ点検定を停止しておくことで、すぐに流量計測にかかる準備をしておくためである。
【００４５】
（実施例４）
以下、請求項６に係る実施例４に関する本発明の流量計測装置について図面を参照しながら説明する。
【００４６】
本実施例の構成を示すブロック図は実施例１と同じ図１を用いる。なお、実施例１と同じ構成要素には同一番号を付与して詳細な説明を省略する。図７に制御手段のブロック図、図８に動作のタイミングチャートを示す。
【００４７】
そして実施例４は一定時間ごとに閉止している流路の計測手段のゼロ点を補正するよう時間管理をする第２のタイマ手段２３を備えている点が実施例１、実施例２および実施例３とは異なる。
【００４８】
実施例４では第２のタイマ手段２３を備えているため、図８（ｃ）時刻ｔ１で開閉手段４ａを開成して流路３ａに流体を流している時、時刻ｔ１に動作を開始した第２のタイマ手段２３は一定時間Ｔ２経過ごとに信号を送出しこの信号に応じて制御手段７内のゼロ点検定手段６は閉止している流路３ｂにある計測手段５ｂのゼロ点を検定する。この際、流路３ｃにある計測手段５ｃの検定を同様に行っても良い。また、時刻ｔ２で開閉手段４ａが閉止し（図８（ａ））、開閉手段４ｂが開成（図８（ｂ））すると同様に時刻ｔ２から第２のタイマ手段２２は動作を開始しＴ２間隔で信号を送出する。ゼロ点検定手段６はこの信号に応じて今度は流路３ａにある計測手段５ａのゼロ点を検定する。
【００４９】
このように開閉手段４を閉止している流路３における計測手段５を一定時間間隔Ｔ２でゼロ点補正することができ温度や湿度等の外乱が入った経時変化等によるゼロ点のずれが発生しても一定時間以内に修正し変動を小さくすることが可能になり、突発的に流量が増加し、流路を開成して使用しなければならないことが発生しても十分対応することができる。
【００５０】
（実施例５）
以下、請求項７および請求項８に係る実施例５に関する本発明の流量計測装置について図面を参照しながら説明する。
【００５１】
本実施例の構成を示すブロック図は実施例１と同じ図１を用いる。なお、実施例１と同じ構成要素には同一番号を付与して詳細な説明を省略する。図９に制御手段のブロック図を示す。
【００５２】
そして実施例５は制御手段に計時手段、記憶手段を備えている点が実施例１、実施例２、実施例３および実施例４とは異なる。
【００５３】
次に動作を説明する。制御手段７は複数の開閉手段４を開成し流体を流している。そしてその際、閉止している開閉手段４を有する流路の計測手段５のゼロ点を補正している。
【００５４】
ここで制御手段７は計時手段２４を有し、この計時手段２４が予め定めた時刻においてゼロ点検定手段に信号を送出し、閉止している流路３における計測手段５のゼロ点を補正する。これにより、流量計測装置の設置されたシステム特有の流量状態を予め測定し、例えば流量の少ない時刻にゼロ点を補正することで計測手段５の精度を最適な時刻に調節することが可能になる。さらに予め定める時刻は統計的に定めても良いし、家庭用のガス流量手段であれば朝、昼の食事時や夕方から夜にかけての風呂、シャワー使用時を除く時刻に設定しておけば、被検出流体であるガスがほとんど流れない時間であり、その回数と時刻を予め設定しておくことで、ゼロ点の検定誤差も少なくて調整することが可能になる。
【００５５】
また、制御手段７は計時手段２４と記憶手段２５を有することにより、前記計時手段２４により一定流量以下の安定した流量Ｑが継続して存在する時刻を前記記憶手段２５に記憶しておき、閉止している流路における計測手段５のゼロ点を補正する動作を前記記憶手段２５に記憶した時刻に行うことで、そのシステムの取り付けられた固有の使用条件、状態を予め記憶しておき、安定した状態の時間に計測手段５のゼロ点状態を調べることでより精度良く計測手段５調節することが可能になる。
【００５６】
例えば、家庭用のガス流量計に利用すると朝、昼の食事時、夕方から夜中にかけての風呂利用時、また暖房使用時刻等は各家庭の生活様式により一定していない。これを計測手段５により流量が予め定めた値以下になる時刻を測定し、それを繰り返して記憶しながら学習することにより、制御手段７は計測手段５のゼロ点を検定する時刻を計時手段２３を用いて判断する。またカレンダ機能を有すると平日と週末ではガスの使用時間が大きく異なることがあり、それも記憶手段で判定材料として組み立てることが可能となる。
【００５７】
（実施例６）
以下、請求項９に係る実施例６に関する本発明の流量計測装置について図面を参照しながら説明する。
【００５８】
本実施例の構成を示すブロック図は実施例１と同じ図１を用いる。なお、実施例１と同じ構成要素には同一番号を付与して詳細な説明を省略する。図１０に制御手段のブロック図を示す。
【００５９】
そして実施例６は制御手段に通信手段を備えている点が実施例１、実施例２、実施例３、実施例４および実施例５とは異なる。
【００６０】
実施例６では制御手段７に通信手段２６を備えている。通常、制御手段７は複数の開閉手段４を開成し流体を流している。そしてその際、閉止している開閉手段４を有する流路の計測手段５のゼロ点を補正している。このゼロ点を補正するタイミングは例えば制御手段７内部のタイマ手段２３等を用いて自動制御しても良いが利用者や外部の機関が任意の時間に確認動作を行いたい場合がある。その時のため図１０の通信手段２６を用いて流量計測装置は外部と通信ができるようにしておく。利用者は外部から例えばスイッチやリモコン、設定手段を用いて確認動作開始を指示し、制御手段７はこの信号により閉止している開閉手段４を有する流路の計測手段５のゼロ点を補正する。
【００６１】
これにより、任意の時間に外部から利用者が計測手段のゼロ点を補正することができ、突発的な外乱等による系の不安定現象が発生したとしても利用者の手動でゼロ点を補正する信号を送出することが可能になる。
【００６２】
さらに、ゼロ点を補正するよう要求する信号を発生する外部信号源としては流出路の下流側に設置してある機器、例えばガス器具であればガス給湯機２７等を用いることも可能である。ガス給湯機にあるガス流量計測手段等でガス流量を推定し、一定以下の流体（ここではガス）が流れていると判定した場合に流量計測装置の制御手段７に通信手段２６を介しゼロ点補正を要求する。これにより確実に流体流量が少ない場合に外部からの信号でゼロ点補正を検定することが可能になる。
【００６３】
同様に外部信号源としては流入路１の上流側に設置してある機器、例えば大型供給施設における出力部の流量計測手段２８等としても良い。そうすると、この流量計測手段はそれ自体が一定以下の流体が流れていると判定した場合に通信手段２６を介して流量計測装置の制御手段７にゼロ点の補正動作を要求する。これにより確実に流体流体が少ない場合に外部からの信号でゼロ点補正を検定することが可能になる。また、外部信号はそれ自体内部において計時手段を有する機器や、機器集中検針盤としても良い。これにより、外部から一定時間以内にゼロ点の補正を要求することが可能になる。
【００６４】
なお、本発明についての実施例１ないし６例にわたって説明したが、これらの実施例は複数組み合わせることができることは言うまでもない。また、流量演算手段の値が異常値を示したと判断したときのみゼロ点を補正して、不要なゼロ点補正を行わないようにし、消費電力を低減することができる。そして所定の流量値以下の場合にはぜロ値の変化と判断してゼロ補正を行い微小な流体の漏洩時に対応する実施例も当業者であれば容易に実現できるものである。
【００６５】
そして、複数の流路を用いることにより微小流量から大流量まで流量を計測するとともに、閉止している流路における計測手段のゼロ点を検定することで常に精度良く流量計測を行うことが可能となるものである。また、定期的に開閉手段を動作することは開閉手段の流路への固着等を防止することもでき、さらに信頼性も向上することができる。
【００６６】
【発明の効果】
以上のように本発明の流量計測装置によれば次の効果が得られる。
【００６７】
（１）複数の流路を有する構成で、流量が跡切れない場合でも流量の計測を行っていない流路のゼロ点を補正しておき、開閉手段を切り替えることで、ゼロ点補正の終了した流路で流体計測を行うことが可能になる。このためこの流路を開成する時には測定系の安定度が良く、ゼロ点のずれの無い計測を可能にし、精度が不安定になることを防止することができる。
【００６８】
（２）計測手段として流路に設けられた超音波信号を送受信する方式を用いることで、流体の流れを乱すことなく流量を測定するとともに、複数の流路を組み合わせることで広い範囲で瞬時に流量を精度良く測定することができる。
【００６９】
（３）閉止中の計測手段はゼロ点の補正を済ませておき、流量計測中の流路における計測手段に経時変化等によるゼロ点の変化があったとしても、タイマ手段により一定時間間隔で流路を切り換えることで、一定時間以内に安定度が良くゼロ点のずれの無い計測を可能にし、精度が不安定になることを防止することができる。
【００７０】
（４）流体流量が流量判定手段においてあらかじめ定めた流量以下になったと判定すると、流体の流れが少なく下流からの外乱が少ないため開閉手段を閉止している流路において下流からの影響による誤差を含むこと無くゼロ点の検定を行うことが可能になる。
【００７１】
（５）流体流量が流量判定手段においてあらかじめ定めた流量より多くなったと判定すると、下流から大流量による外乱が入り閉止している流露における計測手段のゼロ点補正動作に悪影響が及ぼしたり、また大流量を計測するために開閉手段を開成して流路に流体を流す必要がある可能性が高いためゼロ点の検定を停止することで、ゼロ点の精度を落とすこと無く、さらにすぐに流量計測にかかる準備をすることが可能になる。
【００７２】
（６）タイマ手段により開閉手段を閉止している流路における計測手段を一定時間間隔でゼロ点補正することができ、温度や湿度等の外乱が入った経時変化等によるゼロ点のずれが発生しても一定時間以内に修正し変動を小さくすることが可能になり、突発的に流量が増加し、流路を開成して使用しなければならないことが発生しても十分対応することができる。
【００７３】
（７）流量計測装置の設置されたシステム特有の流量状態を予め測定し、例えば計時手段の設定を流量の少ない時に定めておき、その時刻にゼロ点を補正することで計測手段の精度を最適な時刻に調節することが可能になる。
【００７４】
（８）計時手段により一定流量以下の安定した流量が継続して存在する時刻を記憶手段に記憶しておき、閉止している流路における計測手段のゼロ点を補正する動作を記憶手段に記憶した時刻に行うことで、そのシステムの取り付けられた固有の使用条件、状態等を考慮した安定した状態の時間に計測手段のゼロ点状態を調べることでより精度良く計測手段調節することが可能になる。
【００７５】
（９）通信手段を用いることで任意の時間に外部から利用者が計測手段のゼロ点を補正することができ、突発的な外乱等による系の不安定現象が発生したとしても手動でゼロ点を補正する信号を送出することが可能になる。
【図面の簡単な説明】
【図１】（ａ）本発明の実施例１の流量計測装置を示すブロック図
（ｂ）同装置の流量検出手段の模式図
【図２】同装置の計測手段を示すブロック図
【図３】本発明の実施例２のおける流量計測装置の制御手段を示すブロック図
【図４】（ａ）同装置の開閉手段４ａの動作を示すタイミングチャート
（ｂ）同装置の開閉手段４ｂの動作を示すタイミングチャート
（ｃ）同装置の開閉手段４ｃの動作を示すタイミングチャート
（ｄ）同装置の第１のタイマ手段の動作を示すタイミングチャート
【図５】本発明の実施例３における流量計測装置の制御手段を示すブロック図
【図６】同装置の制御手段の処理を示すタイミングチャート
【図７】本発明の実施例４における流量計測装置の制御手段を示すブロック図
【図８】（ａ）同装置の開閉手段４ａの動作を示すタイミングチャート
（ｂ）同装置の開閉手段４ｂの動作を示すタイミングチャート
（ｃ）同装置の第２のタイマ手段の動作を示すタイミングチャート
【図９】本発明の実施例５における流量計測装置の制御手段を示すブロック図
【図１０】本発明の実施例６における流量計測装置の制御手段を示すブロック図
【符号の説明】
１  流入路
２  流出路
３  流路
４  開閉手段
５  計測手段
６  ゼロ点検定手段
７  制御手段
１０  第１振動子
１１  第２振動子
１２  送信手段
１３  受信手段
２０  流量演算手段
２１  第１のタイマ手段
２２  流量判定手段
２３  第２のタイマ手段
２４  計時手段
２５  記憶手段
２６  通信手段
【図１】
0004663041.tif 000002
【図２】
0004663041.tif 000003
【図３】
0004663041.tif 000004
【図４】
0004663041.tif 000005
【図５】
0004663041.tif 000006
【図６】
0004663041.tif 000007
【図７】
0004663041.tif 000008
【図８】
0004663041.tif 000009
【図９】
0004663041.tif 000010
【図１０】
0004663041.tif 000011